(57)【要約】【課題】カード等の余分なものや大きなキーを持ち歩かなくともビィークルが使用でき、しかも、広い面積のインストルメントパネルを必要としない、盗難防止装置を提供することを目的とする。【解決手段】運転席が外部に開放されて誰でも該運転席に乗り込み可能になった形態のビィークルに搭載される盗難防止装置であって、予め定められた複数のコードからなる特定の暗証コードを、コードを選択するＡボタン２と、前記Ａボタン２で選択したコードを固定し、あるいは該Ａボタン２で選択したコードを固定するとともに次のコードを入力すべきポジションへシフトするＢボタン３とを用いて、入力することによって、このビィークルの駆動用エンジンの動作制御を司るＥＣＵを作動状態にすることができる。【選択図】                    図１
2004155330.tif 000002
【特許請求の範囲】
【請求項１】
運転席が外部に開放されて誰でも該運転席に乗り込み可能になった形態のビィークルに搭載される盗難防止装置であって、
予め定められた複数のコードからなる特定の暗証コードを、コードを選択するＡボタンと、前記Ａボタンで選択したコードを固定し、あるいは該Ａボタンで選択したコードを固定するとともに次のコードを入力すべきポジションへシフトするＢボタンとを用いて、入力することによって、
このビィークルの駆動用エンジンの動作制御を司るＥＣＵを作動状態にすることができるよう構成されていることを特徴とする盗難防止装置。
【請求項２】
前記入力された一連のコードが、前記特定の暗証コードに照らして誤って、予め定められた回数以上連続して入力されたときには、それ以降の入力を無効とし、前記ＥＣＵを作動不能にすることを特徴とする請求項１記載の盗難防止装置。
【請求項３】
前記ＡボタンとＢボタンが運転席前方のインストルメントパネルに設けられるとともに、このインストルメントパネルあるいはその近傍に前記入力されたコードを表示する表示装置が配置されていることを特徴とする請求項１又は２記載の盗難防止装置。
【請求項４】
前記表示装置が、切替え手段により、前記入力されたコードと、ビィークルの走行距離あるいはエンジン稼働時間を表すトリップメータ表示との切替えが可能に構成されていることを特徴とする請求項３記載の盗難防止装置。
【請求項５】
前記表示装置が、切替え手段により、前記入力されたコードと、ビィークルの走行速度又はエンジン回転数のいずれかとの切替えが可能に構成されていることを特徴とする請求項３記載の盗難防止装置。
【請求項６】
前記ＡボタンおよびＢボタンの入力を有効にするキースイッチをさらに有し、このキースイッチをＯＮにした後にはじめて前記ＡボタンおよびＢボタンの入力が有効になるとともに前記表示装置が表示するよう構成されていることを特徴とする請求項１〜５のいずれか１の項に記載の盗難防止装置。
【請求項７】
前記盗難防止装置は、前記入力されたコードが前記特定の暗証コードと照合して一致した後に、それ以後の盗難防止装置の作動を解除することができるように構成されていることを特徴とする請求項１〜６のいずれか１の項に記載の盗難防止装置。
【請求項８】
前記盗難防止装置は、タイマー機能を具備し、前記盗難防止装置の作動を解除して後に該盗難防止装置の作動条件が満たされても、前記タイマー機能で設定されている所定時間経過するまでの間は、当該タイマー機能によって、当該盗難防止装置の作動が遅延させられるように構成されていることを特徴とする請求項７記載の盗難防止装置。
【請求項９】
前記盗難防止装置は、前記入力されたコードが前記特定の暗証コードと照合して一致した後に、前記特定の暗証コードを別の暗証コードに変更することができるよう構成されていることを特徴とする請求項１〜８のいずれか１の項に記載の盗難防止装置。
【発明の詳細な説明】
【０００１】
【発明の属する技術分野】
本発明は、ビィークル、即ち、原動機付き自転車、自動二輪車、小型作業車両、あるいは、水流を後方に噴出してその反力で水上を前方に航行する小型滑走艇（  Ｐｅｒｓｏｎａｌ  Ｗａｔｅｒｃｒａｆｔ（パーソナルウォータークラフト）；  ＰＷＣとも呼ばれる）  あるいは所謂「スノーモービル」等の運転席が外部に開放されて誰でも乗り込み可能になった形態のビィークルに採用される盗難防止装置に関する。
【０００２】
【従来の技術】
自動二輪車等のビィークルは、運転席が外部に開放されて誰でも運転席に乗り込み可能になった形態を有する。
また、所謂キースイッチは、運転席近傍、具体的には運転席前方のインストルメントパネル等の、一般に外部に露出した部分に配置されている。
【０００３】
このため、この種の形態のビィークルの場合、運転席が外部と隔離され使用者（運転者）が進入不能な形態を有する四輪自動車に比べて、耐盗難性能が劣る。
【０００４】
このような状況の下、自動二輪車等のビィークルでは、そのビィークル固有の信号を発信するカードをビィークルの使用者が保持するとともに、その信号を受信可能な受信機をビィークル側に設けた盗難防止装置がある。このような盗難防止装置の場合、ビィークルを使用しようとするときには、ビィークルに設けられたメインスイッチであるキースイッチに所定の合致したキーを差し込んで所定位置（ＯＮ位置）に回転させ、且つ、前記カード側から予め定められた信号を受信した場合にのみ、エンジンを始動することが可能となる（特許文献１参照）。
【０００５】
また、公知の盗難装置としては、メインスイッチに差し込むキー自体に暗証コードを記憶させたＩＣチップを埋設して、それ以外のキーを差し込んでも、エンジンの始動を不能にした自動二輪車が知られている。
【０００６】
【特許文献１】特許第３１１２５８５号公報
【０００７】
【発明が解決しようとする課題】
しかしながら、前者のカードを使用する盗難防止装置の場合には、ビィークルの使用者は、常に、メインスイッチに差し込むためのキーと、発信機能を具備した前記カードの二つを所持していないと使用することができず、ポケット等が嵩張ることになる。また、いずれか一方が紛失すると、直ちにビィークルを使用することができなくなるという不都合がある。また、カードに内蔵させた電池が電池切れになると、突然ビィークルを使用できなくなる場合もある。
【０００８】
また、後者のＩＣチップをキーに埋設するタイプの盗難防止装置の場合にも、キー自体が大型化し、ポケット等に入れたときに違和感を生じさせるという不都合がある。
【０００９】
加えて、この種のビィークルの場合には、運転席前方に配置されているインストルメントパネルの面積が狭く、具体的には速度計，回転計等のメータを配置する程度の面積程度しかとれず、公知の、四輪自動車で採用されているような、コンソールパネル等にテンキーおよび表示部を配置して暗証コードを入力させるような公知の構成を採用することは難しい。
【００１０】
本発明は、このような状況の下おこなわれたもので、カード等の余分なものを持ち歩かなくともビィークルが使用でき、また、キー自体が大型化することもなく、しかも、盗難の防止が図れるとともに、広い面積のインストルメントパネルを必要としない、盗難防止装置を提供することを目的とする。
【００１１】
【課題を解決するための手段】
本発明は、前記課題を、以下のような構成からなる盗難防止装置によって解決することができる。即ち、
本第１の発明にかかる盗難防止装置は、運転席が外部に開放されて誰でも該運転席に乗り込み可能になった形態のビィークルに搭載される盗難防止装置であって、
予め定められた複数のコードからなる特定の暗証コード（一連あるいは１つの数値あるいは記号又はこれらが混在したもの等をいう。本明細書において同じ）を、コードを選択するＡボタンと、前記Ａボタンで選択したコードを固定し、あるいは該Ａボタンで選択したコードを固定するとともに次のコードを入力すべきポジションへシフトするＢボタンとを用いて、入力することによって、
このビィークルの駆動用エンジンの動作制御を司るＥＣＵを作動状態にすることができるよう構成されていることを特徴とする。
【００１２】
しかして、このように構成された盗難防止装置によれば、使用者は単に予め定められた暗証コードを記憶さえしておけば、後はＡボタンとＢボタンとを操作することによって、前記暗証コードに一致するコードを入力すれば、エンジンの動作制御を司るＥＣＵを作動状態にすることができる。従って、使用者は、嵩張る暗証コードを発信するカードあるいはＩＣチップを埋設した大きなキーを持ち歩く必要はない。また、ビィークル側には、単にＡボタンとＢボタンのみを配置すればよいため、テンキーを配置するような広い面積を必要とすることなく、狭い面積のインストルメントパネルにも配置することができる。しかし、ビィークルへの配置箇所としては、前述のインストルメントパネルに限定されるものでなく、勿論、他の箇所に配置してもよい。
【００１３】
また、前記盗難防止装置において、前記入力された一連のコードが、前記特定の暗証コードに照らして誤って、予め定められた回数以上連続して入力されたときには、それ以降の入力を無効とし、前記ＥＣＵを作動不能にするよう構成されていると、盗もうとする者が試行錯誤的に暗証コードを複数回入力しても、所定回数以降の入力は意味がなくなり、より盗難防止機能が向上する。つまり、偶然に暗証コードに一致するコードが入力される可能性が低減し、ビィークルの所有者以外の使用が難しくなる。なお、かかる構成の場合、このように作動不能になったＥＣＵを、何らかのリセット操作あるいは所定時間が経過することによって解除するように構成することが好ましい。
【００１４】
また、前記盗難防止装置において、前記ＡボタンとＢボタンが運転席前方のインストルメントパネルに設けられるとともに、このインストルメントパネルあるいはその近傍に前記入力されたコードを表示する表示装置が配置されていると、操作が容易で表示装置の表示が見易い、現実的に好ましい構成となる。
【００１５】
また、前記盗難防止装置において、前記表示装置が、切替え手段により、前記入力されたコードと、ビィークルの走行距離あるいはエンジン稼働時間を表すトリップメータ表示との切替えが可能に構成されていると、表示装置を複数の対象物の表示装置として使用でき、省スペースの点からより好ましい盗難防止装置となる。
【００１６】
さらに、前記盗難防止装置において、前記表示装置が、切替え手段により、前記入力されたコードと、ビィークルの走行速度又はエンジン回転数のいずれかとの切替えが可能に構成されていると、表示装置を複数の対象物の表示装置として使用でき、より好ましい盗難防止装置となる。
【００１７】
また、前記盗難防止装置において、前記ＡボタンおよびＢボタンの入力を有効にするキースイッチをさらに有し、このキースイッチをＯＮにした後にはじめて前記ＡボタンおよびＢボタンの入力が有効になるとともに前記表示装置が表示するよう構成されていると、操作性の良い盗難防止装置となる。
【００１８】
また、前記盗難防止装置において、この盗難防止装置が、前記入力された暗証コードが前記特定の暗証コードと照合して一致した後に、それ以後の盗難防止装置の作動を解除することができるように構成されていると、例えば、使用者がビィークル（例えば、自動二輪車）をガソリンスタンド等に入れて、給油するためにキーをキー穴から抜き取ってタンクキャップを解錠するようなときにも、本来ならＥＣＵが非作動状態になって盗難防止装置が作動するような状況においても盗難防止装置が作動しない。従って、給油完了後に、盗難防止装置を解除するために暗証コードを再び入力する手間が不要となる。
【００１９】
また、前記盗難防止装置において、前記盗難防止装置は、タイマー機能を具備し、前記盗難防止装置の作動を解除して後に該盗難防止装置の作動条件が満たされても、前記タイマー機能で設定されている所定時間（タイマー設定時間）経過するまでの間は、当該タイマー機能によって、当該盗難防止装置の作動が遅延させられるように構成されていると、前述の給油のようなときにも、給油完了後に再び暗証コードを入力する必要がない。加えて、前記所定時間経過後に、該盗難防止装置の作動条件を満たすような状況、例えば、キーをキー穴に入れない状態で前記給油後に使用者がガソリンスタンドで所用等を行うような状況下では、前記所定時間経過すると再び盗難防止装置が作動するため、このような状況下でのビィークルの盗難を防止することができる。
【００２０】
また、前記盗難防止装置において、前記盗難防止装置は、前記入力された一連のコードが前記特定の暗証コードと照合して一致した後に、前記特定の暗証コードを別の暗証コードに変更することができるよう構成されていると、使用者の意図によって適宜暗証コードが変更できるため、盗難防止機能がさらに向上する。
【００２１】
【発明の実施の形態】
以下、本発明の実施形態にかかる盗難防止装置を、ビィークルの一種である自動二輪車に搭載されている場合を例に挙げて説明する。
【００２２】
図１は本発明の１の実施形態にかかる盗難防止装置の概略の構成を示すブロック図、図２は図１に示す盗難防止装置の実施形態にかかるＡボタンとＢボタンおよび表示装置等が配置されているインストルメントパネルの平面外観図、図３は図１に示す盗難防止装置の制御内容等を示すフローチャートである。
（実施形態１）
図１に図示するように、本盗難防止装置Ａｓは、盗難防止装置本体１とこの盗難防止装置本体１にコード（この実施形態では「数値」）を選択して暗証コードを入力するためのＡボタン２と、前記Ａボタン２で選択したコード（数値）を固定するＢボタン３と、入力された暗証コードを表示する表示装置４と、入力された暗証コードが所定回数誤っていた場合に警報を発する警報器５とを有する。そして、この実施形態の場合、前記Ａボタン２は、数値を一つ上げる数値アップボタン２Ａ（図１で「Ａ２  」と表示）と、数値を一つ下げる数値ダウンボタン２Ｂ（図１で「Ａ１  」と表示）から構成されている。
【００２３】
そして、前記盗難防止装置本体１および表示装置４の一方の端子は、電線Ｌ１を介して、自動二輪車に搭載されている直流電源（バッテリー）Ｂｔの一方の端子（この実施形態の場合、プラス側の端子）と接続されている。また、この盗難防止装置本体１および表示装置４の他方の端子は、車体にアースされ、該車体を介して、前記直流電源（バッテリー）Ｂｔの他方の端子（この実施形態の場合、マイナス側の端子）と接続されている。
【００２４】
そして、前記電線Ｌ１の途中には、電流を通電・遮断するキースイッチの形態のスイッチＳＷ１が介装されている。このスイッチＳＷ１は、自動二輪車のメインスイッチであり、キー（図示せず）を挿入して「ＯＮ」位置に回転させることによって、通電状態、つまり、前記盗難防止装置本体１および表示装置４に直流電源Ｂｔから通電できるよう構成されている。
そして、前記盗難防止装置１には、前述したＡボタン２Ａ，２ＢおよびＢボタン３が接続され、盗難防止装置本体１に暗証コードが入力できるよう構成されている。
【００２５】
また、前記警報器５の一方の端子は、前記スイッチＳＷ１と直流電源Ｂｔとの間で前記電線Ｌ１から分岐した電線Ｌ５を介して、前記直流電源Ｂｔの前記一方の端子側に接続されている。そして、この電線Ｌ５の途中には、該警報器５への通電・遮断をおこなうスイッチＳＷ２が介装されている。また、この警報器５の他方の端子は、車体にアースされ、該車体を介して、前記直流電源Ｂｔの前記他方の端子と接続されている。
【００２６】
さらに、前記直流電源Ｂｔの前記一方の端子は、前記スイッチＳＷ２と直流電源Ｂｔとの間で前記電線Ｌ５から分岐した電線Ｌ３を介して、エンジンＥの点火時期、燃料噴射時期およびスロットルの開度を制御するエンジン・コントロール・ユニット（この明細書において「ＥＣＵ」という）の一方の端子に接続されている。そして、この電線Ｌ３の途中には、該ＥＣＵへの通電・遮断をおこなうスイッチＳＷ３が介装されている。また、このＥＣＵの他方の端子は、車体にアースされ、該車体を介して、前記直流電源Ｂｔの前記他方の端子と接続されている。
【００２７】
また、図１において、Ｌｅは、前記ＥＣＵからエンジンＥへの制御線を表している。具体的には、前記制御線Ｌｅは、点火タイミング、スロットル開度および燃料噴射量と燃料噴射タイミング等の制御をおこなうものである。
【００２８】
さらに、前記電線Ｌ３の、前記スイッチＳＷ３と前記ＥＣＵとの間から、電線Ｌｍが分岐し、その先端はエンジン始動用のセルモータＭｓの一方の端子に接続されている。また、この電線Ｌｍの途中には、セルモータＭｓへの通電と遮断をおこなうスイッチＳＷ４が介装されている。このスイッチＳＷ４は、図７に図示する自動二輪車では、ハンドルＨｎのグリップＧｐ近傍に配置される。また、前記セルモータＭｓの他方の端子は、車体にアースされ、該車体を介して、前記直流電源Ｂｔの前記他方の端子側と接続されている。なお、このセルモータＭｓはエンジンＥと機械的に接続され、エンジンを始動可能に構成されている。
【００２９】
前記警報器５としては、種々のものが考えられるが、例えば、ハザードランプ、あるいは警報ブザー、あるいはパッシングランプ等が考えられる。
【００３０】
また、前記表示装置４として、この実施形態では、液晶表示器が使用されている。そして、この表示装置４は、入力した暗証コードを表示するとともに、エンジンＥが稼働する（運転状態となる）と、自動的に表示内容が切り替わって、トリップメータとして自動二輪車の走行距離（単位「ｋｍ」）を表示することができるよう構成されている。
【００３１】
そして、具体的には、図２に図示するように、前記Ａボタン２（２Ａ，２Ｂ）、Ｂボタン３および表示装置４は、自動二輪車の騎乗型の運転席（ライダー・シート）の前方、具体的には、バー型ハンドルの前方のヘッドランプ（図示せず）上方に配置されるインストルメントパネルＰｉ上に配置されている。
【００３２】
また、この実施形態の場合には、暗証コードの入力を促す、イモビライザー警報灯６が前記インストルメントパネルＰｉ上に配置されている（図２参照）。
【００３３】
このイモビライザー警報灯６は、電気回路的には、図１に図示するように、前記表示装置４へ電力を供給する電線Ｌ１から分岐した電線Ｌ６と車体を介して、電気が供給されるよう構成されている。
【００３４】
そして、前記盗難防止装置本体１内には、図示しないが、演算装置と、盗難制御プログラムおよび暗証コードが記憶された記憶装置とを有する。
【００３５】
また、前記盗難防止装置本体１は、制御線Ｌ１０によって、前記スイッチＳＷ３と接続されて、該スイッチＳＷ３のＯＮ−ＯＦＦ制御するよう構成されている。また、前記盗難防止装置本体１は、制御線Ｌ１１によって、前記スイッチＳＷ２と接続されて、該スイッチＳＷ２のＯＮ−ＯＦＦ制御するよう構成されている。
【００３６】
そして、前記盗難防止装置本体１は、この実施形態では、図７に図示する自動二輪車（ビィークル）ＶｈのシートＳ下方に配置される。
【００３７】
なお、図２において、１０は自動二輪車の速度を表示する速度メータ、１１はエンジンＥの回転数を表示するタコメータ、１２は燃料計、１３はエンジンの冷却水の温度を表示する水温計、１４は時計（切替えスイッチによりトリップメータともなる）、１５はヘッドランプの点灯スイッチ、１６は方向指示ランプ、１７はニュートラルランプである。また、図７において、Ｔｎは燃料タンク、Ｃｓはエンジンの側方をカバーするサイドカウリング、Ｃｆは、車体の前方をカバーするフロントカウリング、Ｗｆは前輪、Ｗｒは後輪、Ｃｈはエンジンから後輪Ｗｒに動力を伝達する駆動用チェーンである。
【００３８】
しかして、前述のように構成された本盗難防止装置によれば、以下のように作用する。以下、前記盗難制御プログラムの制御内容と共に本盗難防止装置の作用について説明する。即ち、図３のフローチャートに沿って説明すると、
自動二輪車の所有者は、保持しているキーを、該自動二輪車のキースイッチであるスイッチＳＷ１に差し込み、「ＯＮ」の位置まで回転させると、スイッチＳＷ１がＯＮ（通電状態）となる（ステップ１（Ｓ１））。この結果、前記直流電源Ｂｔから、前記盗難防止装置本体１に電源が供給されて、前記表示装置４と前記イモビライザー警報灯６が点灯する（ステップ２（Ｓ２））。なお、暗証コードの入力動作を喚起させるために、前記イモビライザー警報灯６の点灯が、点滅状に点灯するよう、該イモビライザー警報灯６に点滅器（図示せず）を付設しておくことが好ましい。
【００３９】
この状態において、予め設定されている暗証コードを入力する（ステップ３（Ｓ３））。即ち、前記Ａボタン２（２Ａ，２Ｂ）を操作して、入力すべき数値を選択し、所定の数値が表示装置４に表示されると、前記Ｂボタン３を押して、その数値を固定するとともに、一桁ずらせる。このように必要な桁数分暗証コードに対応させて順次数値を入力する。なお、Ｂボタン３の前記「一桁ずらせる」機能については、このＢボタン３でなく、この盗難制御プログラムにおいて、Ａボタン２（２Ａ，２Ｂ）を入力して後、所定時間（例えば、８秒）経過しても、該Ａボタン２から信号が入らないときに、自動的に一桁ずらせるように構成してもよい。
【００４０】
所定の桁数だけ所定の暗証コードに対応したコードを入力し終わる（ステップ４（Ｓ４））と、具体的には、最後の数値が入力された後に前記Ｂボタン３を押すと、本盗難防止装置本体１の演算装置が、記憶装置内に記憶されている暗証コードと入力された暗証コードが一致するか否か照合する（ステップ５（Ｓ５））。
【００４１】
次に、照合の結果、入力した暗証コードが予め記憶されている暗証コードに一致する場合には、ステップ６（Ｓ６）に移行して、前記盗難防止装置本体１が前記スイッチＳＷ３をＯＮにして、前記ＥＣＵに通電する（ステップ６（Ｓ６））。
【００４２】
使用者、つまりライダーはこの状態において、ハンドルＨｎのグリップ近傍のスイッチＳＷ４であるセルスタータースイッチＳＷ４を押圧する（ステップ７（Ｓ７））ことによって、セルモータＭｓを始動する（ステップ８（Ｓ８））。
【００４３】
そして、エンジンＥが始動（ステップ９（Ｓ９））したら、前記スイッチＳＷ４の押圧を止めればよい。
【００４４】
一方、前記ステップ５（Ｓ５）において、入力された暗証コードが誤っていると、ステップ１０（Ｓ１０）に移行して、暗証コードの入力ミスの回数を一つ加算する。
【００４５】
次に、ステップ１０（Ｓ１０）から、ステップ１１（Ｓ１１）に移行して、前記暗証コードの入力ミスの回数が５回より多いか否かチェックする（ステップ１１（Ｓ１１））。
ここで、入力ミスが５回以内の場合には、前記ステップ３（Ｓ３）に戻って、再度暗証コードを最初から入力する。
【００４６】
このように、入力ミスが５回以内では、前記ステップ３（Ｓ３）〜ステップ１１（Ｓ１１）のルーチン内の制御および動作を繰り返す。
【００４７】
一方、前記入力ミスの回数が５回を越えると、つまり６回になると、ステップ１１（Ｓ１１）からステップ１２（Ｓ１２）に移行し、前記盗難防止装置本体１が前記スイッチＳＷ２をＯＮにして、警報器５を作動させる。従って、警報器５が、警報ブザーである場合には、自動二輪車の警報ブザーが鳴りはじめて、周囲の人々の注意を喚起することになる。
このため、自動二輪車を不正に使用されようとする場合の警報装置となる。
また、前記警報器５が、ハザードランプ、あるいはパッシングランプ等の場合であっても、同様に周囲の者あるいは犬等の注意を惹起し、不正に使用されようとする場合の警報装置となる。勿論、警報器５として、警報ブザーとハザードランプ（あるいはパッシングランプ）を組み合わせてもよく、かかる場合には、音と光による警報となり、夜間にはより効果的な警報器となる。
【００４８】
前記ステップ１２の警報器５の作動を停止させる手法として、種々のものが考えられるが、例えば、図３に図示するように、所定時間、具体的には３０分程度警報器５を作動させ（ステップ１３（Ｓ１３））て、不正に使用しようとする者が再び近づけないようにしてもよいし、あるいは、前記スイッチＳＷ１に挿入しているキーを取り外すことによって、警報が停止するように構成してもよい。
あるいは、見えにくい位置に、警報の停止スイッチを別途設けてもよい。
【００４９】
また、この実施形態の場合、前記表示装置４は、ステップ９（Ｓ９）のエンジン始動後には、このエンジンの始動を検知して、自動的にトリップメータに切り替わるよう構成されている。勿論、トリップメータではなく、他のメータ（例えば、エンジン回転数あるいは速度）に切り替わるような構成であってもよい。
【００５０】
前述のように構成された本盗難防止装置によれば、嵩張る暗証コードを発信させるためのカード、あるいはＩＣチップが埋設された大きな形態のキーを保持する必要もない。しかも、自動二輪車のようにインストルメントパネルの面積が小さいビィークルにも、採用することができる。また、ボタンの数が少ないことから、各ボタンを防水仕様のボタンにしても、安価に実施できる構成となる。勿論、各ボタンをタッチパネル式のもので構成してもよい。
【００５１】
前記実施形態では、盗難防止装置を自動二輪車に搭載した場合について説明したが、小型作業車両に同様に採用することもでき、また小型滑走艇の運転席が外部に開放されている形態の小型レジャーボート等のマリンビィークルのビィークル等にも勿論採用することができる。
（実施形態２）
次に、本発明の別の実施形態にかかる盗難防止装置について説明する。基本的には、前記盗難防止装置と共通し、図１に示すブロック図と基本的に同じ構成を有するが、この実施形態２にかかる盗難防止装置Ａｓの場合には、盗難防止装置本体１の内部に、プログラム（ソフトウエア）の形態で、盗難防止装置の機能をＯＮ−ＯＦＦ（有効−無効）する設定機能と、この盗難防止装置の機能をＯＦＦする時間を設定するタイマー機能と、本盗難防止装置本体１の記憶装置内に記憶されている暗証コードを変更する暗証コード変更機能を備えている点において、さらに機能の高い盗難防止装置となっている。また、この実施形態では、前記タイマー機能を具備することから、盗難防止装置自体に別の電源Ｂｔ１（バッテリーあるいはコンデンサー）を具備させている（図１の二点鎖線参照）。
【００５２】
つまり、図４の盗難防止装置の制御内容を示すフローチャートに図示する如く、作用する。実施形態１と同じ制御部分を省略して説明すると、入力された暗証コードと予め記憶されている暗証コードとを照合した結果、暗証コードが正しい場合に、スイッチＳＷ３およびＥＣＵをＯＮにするステップ６から、ステップ７（Ｓ７）に移行する。このステップ７において、記憶装置に記憶させている暗証コードを新たな暗証コードに変更するか否かの判断をすることができる。
【００５３】
ここで、前記暗証コードを変更する場合には、実施形態１の場合の暗証コードの入力と同じ手法で、記憶させる新たな暗証コードを入力することによって暗証コードを変更させる（ステップ８（Ｓ８））。
【００５４】
前記「暗証コードを変更しない」場合、あるいは前記暗証コードの変更が終了すると、盗難防止機能をＯＦＦ（無効）にするか否かの判断をすることができる（ステップ９（Ｓ９））。
【００５５】
ここで、盗難防止機能をＯＦＦにしない場合には、ステップ１４（Ｓ１４）に移行して、ステップ１４〜ステップ１６（Ｓ１６）を実行する。つまり、セルモータＭｓのスイッチＳＷ４をＯＮにすることによって、セルモータが始動してエンジンを始動させることができる。
【００５６】
一方、前記ステップ９において、盗難防止機能をＯＦＦにする場合には、この「ＯＦＦ」の状態を所定時間だけ継続するのか否か、つまり、タイマー機能をＯＮにするのか否かの判断をおこなう（ステップ１７（Ｓ１７））。
このステップ１７において、タイマーが設定されると、例えば、１０分間タイマーが設定されると、ステップ１８（Ｓ１８），ステップ１９（Ｓ１９）において、その所定時間（１０分間）の時間計測がなされ、所定時間経過すると、盗難防止機能は再びＯＮになり、ステップ１へ移行する。従って、例えば、給油のためにガソリンスタンドでキースイッチからキーを抜いた場合には、その所定時間内であれば、再び暗証コードを入力することなく、キーをキースイッチのキー穴に差し込んでＯＮにするだけで、エンジンを始動させることができる。なお、キーをキースイッチのキー穴から抜くと、スイッチＳＷ１はＯＦＦになるが、所定時間内、前記電源Ｂｔ１が電力を供給する。
【００５７】
また、前記ステップ１７において、タイマーが設定されない場合には、盗難防止機能はＯＦＦになった状態を継続することになる（ステップ２１（Ｓ２１））。この盗難防止機能がＯＦＦになると、この状態でキーをキー穴から抜いて、スイッチＳＷ１をＯＦＦにしても、次回は、このキーをキー穴に挿入して回転させて前記スイッチＳＷ１をＯＮするだけで、スイッチＳＷ３およびＥＣＵは作動することになる。この盗難防止機能のＯＦＦの状態を解除する場合には、ステップ９において盗難防止機能をＯＮに設定するか、あるいはステップ９において盗難防止機能をＯＦＦで且つステップ１７でタイマーの設定を行えばよい。
【００５８】
このように構成された実施形態２にかかる盗難防止装置の場合には、給油の際にその都度暗証コードを入力するような煩わしさから開放される。また、家のガレージ等にビィークルを保管しておくような場合には、盗難防止機能をＯＦＦの状態にしておくことによって、該盗難防止装置の無いビィークルと同じように使用することができる。つまり、盗難防止装置が必要なときにも、選択的に使用することができる。
（実施形態３）
次に、本発明の別の実施形態にかかる盗難防止装置について説明する。前記実施形態１あるいは実施形態２において、図２に図示するインストルメントパネルに代えて、図５に図示するようなインストルメントパネルＰｉを使用してもよい。図５に図示するインストルメントパネルＰｉの場合には、速度計を暗証コード等の表示と切り替えて表示できるデジタル表示装置に表示するよう構成して、よりコンパクになっている点において異なる。また、Ａボタン２は、一つのボタンで構成され、一回押すごとに一つづつ数値が上がる（あるいは下がる）よう構成されている。
【００５９】
かかる場合には、より狭い空間であってもインストルメントパネルＰｉを配置することが可能となる。
また、かかる図５に図示するインストルメントパネルＰｉは、インストルメントパネルＰｉの空いているスペースにソーラ発電パネル２０を配置して、前記直流電源Ｂｔの消費電気を補填することができるよう構成されている。
【００６０】
図５に示すインストルメントパネルＰｉにおいて、図２に示すインストルメントパネルと同じあるいは対応する構成については、同じ参照記号を付している。また、図５において、１８はオイル警報灯、１９は燃料警報灯である。
（実施形態４）
本発明にかかる盗難防止装置では、インストルメントパネルＰｉとして、図２および図５に図示するインストルメントパネルと異なるインストルメントパネル、つまり、図６に図示するようなインストルメントパネルＰｉであってもよい。この図６に図示するインストルメントパネルＰｉの場合には、暗証コードを入力するためのＡボタン２と、前記Ａボタン２で選択した数値を固定するＢボタン３を、タッチパネル式にした点でことなり、かかる場合には、より構成がシンプルになり、且つより高い防水性能を得られるインストルメントパネルＰｉとなる。また、Ａボタン２は、一つのボタンで構成され、一回押すごとに一つづつ数値が上がる（あるいは下がる）よう構成されている。
【００６１】
図６に示すインストルメントパネルにおいて、図２あるいは図５に示すインストルメントパネルと同じあるいは対応する構成については、同じ参照記号を付している。
【００６２】
ところで、前述した実施形態では、暗証コードが一連の連続したコードで構成されているが、これに代えて、つまり、「桁」に代えて「領域」という概念を導入して、特定の領域に特定のコードを入力するよう構成してもよい。また、このように領域という概念を導入した場合には、どの領域から順番にコードを入力するかの、該順番も特定して、暗証コードの組み合わせをより複雑にすることも可能となる。勿論のこと、前記暗証コードに「桁」の概念を用いるときにも、入力する桁の順番を特定して、同じように複雑にすることもできる。そして、このように構成すると、より偶然に暗証コードを入力することができるような状況か低減でき、盗難防止機能を高めることができる。
【００６３】
【発明の効果】
本発明にかかる盗難防止装置によれば、暗証コードを発信する機能を具備したカードあるいはＩＣチップを埋設したキーのような嵩張るものを、持ち歩かなくともビィークルが使用できる。
また、暗証コードを必要最小限の２種類のボタンで入力可能としているため、自動二輪車や小型滑走艇のようなインストルメントパネルに余裕のないビィークルにも容易に採用することができる。
【００６４】
しかも、高い耐盗難防止性能を具備した盗難防止装置となる。
【図面の簡単な説明】
【図１】本発明の第１の実施形態にかかる盗難防止装置の概略の構成を示すブロック図である。
【図２】ＡボタンとＢボタンおよび表示装置等が配置されているインストルメントパネルの平面外観図である。
【図３】第１の実施形態にかかる盗難防止装置の制御内容等を示すフローチャートである。
【図４】別の実施形態にかかる盗難防止装置の制御内容等を示すフローチャートである。
【図５】図２とは別の実施形態にかかるインストルメントパネルを示す図で、ＡボタンとＢボタンおよび表示装置等が配置されているインストルメントパネルの平面外観図である。
【図６】図２および図５とは別の実施形態にかかるインストルメントパネルを示す図で、ＡボタンとＢボタンおよび表示装置等が配置されているインストルメントパネルの平面外観図である。
【図７】本発明にかかる盗難防止装置を具備したビィークルの一種である自動二輪車の全体の外観を表す全体側面図である。
【符号の説明】
２（２Ａ，２Ｂ）……Ａボタン
３……Ｂボタン
ＥＣＵ……ＥＣＵ（エンジン・コントロール・ユニット）
【図１】
2004155330.tif 000003
【図２】
2004155330.tif 000004
【図３】
2004155330.tif 000005
【図４】
2004155330.tif 000006
【図５】
2004155330.tif 000007
【図６】
2004155330.tif 000008
【図７】
2004155330.tif 000009